(57)【要約】【課題】施工が容易で、外観意匠性及び耐候性に優れた開口部周り化粧部材、開口部周り施工構造、及び開口部周り施工方法を提供すること。【解決手段】建物の開口部５の周りに配される開口部周り化粧部材１０。開口部の上下左右の４辺に沿って配される上下左右のＬジョイナー１００と、該Ｌジョイナー１００に係合すると共に下地材２の前面２０に固定される上下左右の額縁部材１１とを有する。Ｌジョイナー１００は、前板部と内側板部とジョイナー側係合部とを有する。額縁部材１１は、外向面部１１１と内向面部１１２と化粧部１１３と額縁側係合部と固定板部１１４とを有する。【選択図】図１
2006307497.tif 000002
【特許請求の範囲】
【請求項１】
建物の開口部の周りに配される開口部周り化粧部材であって、
上記開口部の上下左右の４辺に沿って、外壁板の下地として配される下地材に固定される上下左右のＬジョイナーと、
該Ｌジョイナーに係合すると共に下地材の前面に固定される上下左右の額縁部材とを有し、
上記Ｌジョイナーは、上記下地材の前面に固定される前板部と、該前板部の一端から後方に延びて下地材の内側面に配される内側板部と、上記前板部の一端から前方に突出形成されたジョイナー側係合部とを有し、
上記額縁部材は、上記外壁板の端部に対向配置される外向面部と、上記開口部に面して配される内向面部と、上記外向面部及び上記内向面部の前端を連結すると共に上記開口部周りを化粧する化粧部と、上記内向面部の後端部において上記ジョイナー側係合部に係合可能な額縁側係合部と、上記外向面部の後端から上記額縁側係合部と反対側に延設されて上記下地材に固定される固定板部とを有することを特徴とする開口部周り化粧部材。
【請求項２】
請求項１において、上記額縁部材は、長手方向に連続する中空部を有し、上記化粧部、上記内向面部及び上記外向面部は上記中空部の一部を形成していることを特徴とする開口部周り化粧部材。
【請求項３】
請求項２において、上記額縁部材は、上記中空部の両端部をそれぞれ塞ぐキャップ部材を取り付けてなることを特徴とする開口部周り化粧部材。
【請求項４】
請求項３において、上記額縁部材のうち、上記開口部の上辺及び下辺にそれぞれ配される上辺額縁部材及び下辺額縁部材は、上記内向面部を前方へ向かうほど外側へ広がるように傾斜させてなり、上記上辺額縁部材の上記内向面部と上記下辺額縁部材の上記内向面部とは、互いに同じ傾斜角度を有しており、かつ、上記キャップ部材の外側面は、上記内向面部の傾斜に沿うように傾斜していることを特徴とする開口部周り化粧部材。
【請求項５】
請求項１〜４のいずれか一項において、上記額縁部材のうち、上記開口部の上辺及び下辺にそれぞれ配される上辺額縁部材及び下辺額縁部材は、上記化粧部の下端から下方へ突出した突出板部を有することを特徴とする開口部周り化粧部材。
【請求項６】
請求項１〜５のいずれか一項において、上記額縁部材は、アルミの押し出し成形品からなることを特徴とする開口部周り化粧部材。
【請求項７】
請求項１〜６のいずれか一項において、上記Ｌジョイナーと上記額縁部材とを組付けた際に、上記Ｌジョイナーの上記前板部と上記額縁部材との間には、空隙部が形成されるよう構成されていることを特徴とする開口部周り化粧部材。
【請求項８】
建物の開口部の周りに開口部周り化粧部材を配設してなる開口部周り施工構造であって、
上記開口部周り施工構造は、上記開口部の上下左右の４辺に沿って外壁板の下地として配された下地材と、
該下地材に取り付けられた上記開口部周り化粧部材と、
該開口部周り化粧部材の外側に端部を対向配置させた上記外壁板とを有し、
上記開口部周り化粧部材は、上記下地材に固定される上下左右のＬジョイナーと、該Ｌジョイナーに係合すると共に下地材の前面に固定される上下左右の額縁部材とを有し、上記Ｌジョイナーは、前板部と、該前板部の一端から後方に延びる内側板部と、上記前板部の一端から前方に突出形成されたジョイナー側係合部とを有し、上記額縁部材は、外向面部と、内向面部と、上記外向面部及び上記内向面部の前端を連結する化粧部と、上記内向面部の後端部に形成された額縁側係合部と、上記外向面部の後端から上記額縁側係合部と反対側に延設された固定板部とを有し、
上記Ｌジョイナーは、上記前板部を上記下地材の前面に固定すると共に、上記内側板部を上記下地材の内側面に配置するように配設されており、
上記額縁部材は、上記額縁側係合部を上記ジョイナー側係合部に係合させると共に、上記固定板部を下地材に固定し、上記外向面部を上記外壁板の端部に対向配置し、上記化粧部によって開口部周りを化粧するような状態で配設されていることを特徴とする開口部周り施工構造。
【請求項９】
請求項８において、上記開口部周り化粧部材は、長手方向に連続する中空部を有し、上記化粧板部、上記内向面部及び上記外向面部は、上記中空部の一部を形成していることを特徴とする開口部周り施工構造。
【請求項１０】
請求項９において、上記額縁部材は、上記中空部の両端部をそれぞれ塞ぐキャップ部材を取り付けてなることを特徴とする開口部周り施工構造。
【請求項１１】
請求項１０において、上記額縁部材のうち、上記開口部の上辺及び下辺にそれぞれ配された上辺額縁部材及び下辺額縁部材は、上記内向面部を前方へ向かうほど外側へ広がるように傾斜させてなり、上記上辺額縁部材の上記内向面部と上記下辺額縁部材の上記内向面部とは互いに同じ傾斜角度を有しており、かつ、上記キャップ部材の外側面は、上記内向面部の傾斜に沿うように傾斜しており、上記内向面部に面接触していることを特徴とする開口部周り施工構造。
【請求項１２】
請求項８〜１１のいずれか一項において、上記額縁部材のうち、上記開口部の上辺及び下辺にそれぞれ配された上辺額縁部材及び下辺額縁部材は、上記化粧部の下端から下方へ突出した突出板部を有することを特徴とする開口部周り施工構造。
【請求項１３】
請求項８〜１２のいずれか一項において、上記額縁部材は、アルミの押し出し成形品からなることを特徴とする開口部周り施工構造。
【請求項１４】
請求項８〜１３のいずれか一項において、上記開口部周り施工構造は、リフォーム用であって、上記下地材は、既存壁の前面に固定されていることを特徴とする開口部周り施工構造。
【請求項１５】
請求項８〜１４のいずれか一項において上記Ｌジョイナーの上記前板部と上記額縁部材との間には、空隙部が形成されていることを特徴とする開口部周り施工構造。
【請求項１６】
建物の開口部の周りに開口部周り化粧部材を配設して、開口部周りを施工する方法であって、
上記開口部周り化粧部材は、前板部と該前板部の一端から後方に延びる内側板部と上記前板部の一端から前方に突出形成されたジョイナー側係合部とを備えるＬジョイナーと、外向面部と内向面部と上記外向面部及び上記内向面部の前端を連結する化粧部と上記内向面部の後端部に形成された額縁側係合部とを備える額縁部材とを、それぞれ４本有してなり、
上記開口部周りの施工に当たっては、開口部の上下左右の４辺に沿って外壁板の下地として配された下地材に、Ｌジョイナーを固定するＬジョイナー固定工程と、
上記Ｌジョイナーに額縁部材を係合させると共に、上記下地材に固定する額縁部材取付工程と、
上記額縁部材に端部を対向配置するように外壁板を取り付ける外壁板取付工程と、
上記外壁板の端部と上記額縁部材との間にシーリング材を打設するシーリング材打設工程とを行い、
上記Ｌジョイナー固定工程においては、上記前板部を上記下地材の前面に固定すると共に、上記内側板部を上記下地材の内側面に配置するように上記下地材を配設し、
上記額縁取付工程においては、上記額縁側係合部を上記ジョイナー側係合部に係合させると共に、上記固定板部を下地材に固定し、上記化粧部によって開口部周りを化粧するような状態で上記額縁部材を配設し、
上記外壁板取付工程においては、上記外壁板の端部を上記外向面部に対向配置することを特徴とする開口部周り施工方法。
【発明の詳細な説明】
【技術分野】
【０００１】
本発明は、建物の開口部の周りに配される開口部周り化粧部材、開口部周り施工構造、及び、これを構築する開口部周り施工方法に関する。
【背景技術】
【０００２】
従来より、図１４に示すごとく、リフォーム時において、建物外壁面の窓等の既存の開口部周りの４辺に施工される開口部周り化粧部材９０及びこれを用いて開口部周り施工構造９を構築する開口部周り施工方法が提案されている（特許文献１参照）。
【０００３】
上記開口部周り化粧部材９０は、図１４に示すごとく、開口部周りの４辺に沿って配された胴縁８０に配設される４本のＬジョイナー９５と、該Ｌジョイナー９５の前面において開口部の直線部分に配される４本の直線状部材９１と、開口部のコーナー部に配される４個のコーナー部材９２と、直線状部材９１とコーナー部材９２とを接続する８個の接続具９４（省略可能）とにより構成される。
【０００４】
しかしながら、上記開口部周り施工構造９は、開口部周り化粧部材９０を構成する部品点数が多いため、コスト高になることに加え、施工に時間がかかってしまうおそれがある。
また、上記直線状部材９１及び上記コーナー部材９２には、リフォーム用外壁板８１の端部８１０を収容するための凹溝９３が形成されており、該凹溝９３の前後の幅と新たに張り付けようとする外壁板８１の厚みとは略同等でなければならない。そのため、使用できる外壁板８１の厚みが限定されるという問題もある。
【０００５】
また、開口部周り化粧部材９０とＬジョイナー９５との間に隙間が生じてしまい、雨水が浸入するおそれがあると共に、外観意匠性に優れた開口部周り施工構造９を得ることが困難となるおそれがある。
【０００６】
【特許文献１】特許第３５０２８３２号公報
【発明の開示】
【発明が解決しようとする課題】
【０００７】
本発明は、従来の問題点に鑑み、施工が容易で、外観意匠性及び耐候性に優れた開口部周り化粧部材、開口部周り施工構造及び開口部周り施工方法を提供しようとするものである。
【課題を解決するための手段】
【０００８】
第１の発明は、建物の開口部の周りに配される開口部周り化粧部材であって、
上記開口部の上下左右の４辺に沿って、外壁板の下地として配される下地材に固定される上下左右のＬジョイナーと、
該Ｌジョイナーに係合すると共に下地材の前面に固定される上下左右の額縁部材とを有し、
上記Ｌジョイナーは、上記下地材の前面に固定される前板部と、該前板部の一端から後方に延びて下地材の内側面に配される内側板部と、上記前板部の一端から前方に突出形成されたジョイナー側係合部とを有し、
上記額縁部材は、上記外壁板の端部に対向配置される外向面部と、上記開口部に面して配される内向面部と、上記外向面部及び上記内向面部の前端を連結すると共に上記開口部周りを化粧する化粧部と、上記内向面部の後端部において上記ジョイナー側係合部に係合可能な額縁側係合部と、上記外向面部の後端から上記額縁側係合部と反対側に延設されて上記下地材に固定される固定板部とを有することを特徴とする開口部周り化粧部材にある（請求項１）。
【０００９】
次に、本発明の作用効果につき説明する。
上記開口部周り化粧部材は、主に上記Ｌジョイナーと上記額縁部材とにより構成される。これにより、上記開口部周り化粧部材を構成する部品点数を少なくすることができるため、上記開口部周り化粧部材を用いた開口部周り施工構造を容易かつ安価に施工することができる。
【００１０】
また、上記Ｌジョイナーは、上記前板部と上記内側板部とを有する。そのため、上記前板部を上記下地材の前面に固定すると共に、上記固定板部を上記下地材の内側面に配置することができる。したがって、外壁板の下地として配される上記下地材を覆い隠すことができるため、上記開口部周り化粧部材を用いて外観意匠性に優れた開口部周り施工構造を得ることができる。
【００１１】
また、上記Ｌジョイナーは、上記ジョイナー側係合部を有し、上記額縁部材は、上記額縁側係合部と上記固定板部とを有する。これにより、上記額縁側係合部を上記ジョイナー側係合部に係合すると共に、上記固定板部を上記下地材に固定することができるため、上記額縁部材を上記下地材に安定した状態で固定することができる。即ち、上記額縁部材を幅方向の２箇所において上記下地材に固定することができる。それ故、上記額縁部材の上記固定板部と反対側の部分が前方に浮き上がることがなく、上記額縁部材と上記Ｌジョイナーとの間の開口部側に隙間が発生するという不具合を回避することができる。したがって、外観意匠性及び耐候性に優れた開口部周り施工構造を得ることができる。
【００１２】
また、上記額縁部材は、上記外壁板の端部に対向配置して配設されている上記外向面部を有する。そして、上記外壁板の端部は、上記外向面部に対向配置して施工される。したがって、上記外壁板の端部を上記額縁部材に嵌合する等の必要がないため、施工誤差等があった場合にも、上記開口部周り施工構造を容易かつ確実に施工することができる。また、上記開口部周り施工構造に用いられる上記外壁板は一定の厚みに限定されることがない。
【００１３】
以上のごとく、本発明によれば、施工が容易で、外観意匠性及び耐候性に優れた開口部周り施工構造を構築できる開口部周り化粧部材を提供することができる。
【００１４】
第２の発明は、建物の開口部の周りに開口部周り化粧部材を配設してなる開口部周り施工構造であって、
上記開口部周り施工構造は、上記開口部の上下左右の４辺に沿って外壁板の下地として配された下地材と、
該下地材に取り付けられた上記開口部周り化粧部材と、
該開口部周り化粧部材の外側に端部を対向配置させた上記外壁板とを有し、
上記開口部周り化粧部材は、上記下地材に固定される上下左右のＬジョイナーと、該Ｌジョイナーに係合すると共に下地材の前面に固定される上下左右の額縁部材とを有し、上記Ｌジョイナーは、前板部と、該前板部の一端から後方に延びる内側板部と、上記前板部の一端から前方に突出形成されたジョイナー側係合部とを有し、上記額縁部材は、外向面部と、内向面部と、上記外向面部及び上記内向面部の前端を連結する化粧部と、上記内向面部の後端部に形成された額縁側係合部と、上記外向面部の後端から上記額縁側係合部と反対側に延設された固定板部とを有し、
上記Ｌジョイナーは、上記前板部を上記下地材の前面に固定すると共に、上記内側板部を上記下地材の内側面に配置するように配設されており、
上記額縁部材は、上記額縁側係合部を上記ジョイナー側係合部に係合させると共に、上記固定板部を上記下地材に固定し、上記外向面部を上記外壁板の端部に対向配置し、上記化粧部によって開口部周りを化粧するような状態で配設されていることを特徴とする開口部周り施工構造にある（請求項８）。
【００１５】
上記開口部回り化粧部材は、主に、上記Ｌジョイナーと上記額縁部材とにより構成される。したがって、上記開口部周り化粧部材を構成する部品点数を少なくすることができるため、上記開口部周り施工構造を容易かつ安価に施工することができる。
【００１６】
また、上記Ｌジョイナーは、上記前板部を上記下地材の前面に固定すると共に、上記内側板部を上記下地材の内側面に配置するように配設されている。これにより、上記外壁板の下地として配される上記下地材を覆い隠すことができるため、外観意匠性に優れた上記開口部周り施工構造を得ることができる。
【００１７】
また、上記額縁部材は、上記額縁側係合部を上記ジョイナー側係合部に係合すると共に、上記固定板部を上記下地材に当接した状態で固定されるため、上記額縁部材は上記下地材に対して安定固定された状態となる。即ち、上記額縁部材を上記下地材に固定するに当たっては、上記Ｌジョイナーと係合した状態で上記固定板部を釘固定することになるので、上記額縁部材と上記Ｌジョイナーとの間の開口部側に隙間が発生するという不具合を回避することができる。したがって、外観意匠性及び耐候性に優れた上記開口部周り施工構造を得ることができる。
【００１８】
また、上記額縁部材は、上記外壁板の端部に対向配置して配設されている上記外向面部を有する。そして、上記外壁板の端部は上記外向面部に対向配置している。したがって、上記外壁板の端部を上記額縁部材に嵌合する等の必要がないため、上記開口部周り施工構造を容易かつ確実に施工することができる。また、上記開口部周り施工構造に用いられる上記外壁板は一定の厚みに限定されることがない。
【００１９】
以上のごとく、本発明によれば、施工が容易で、外観意匠性及び耐候性に優れた開口部周り施工構造を提供することができる。
【００２０】
第３の発明は、建物の開口部の周りに開口部周り化粧部材を配設して、開口部周りを施工する方法であって、
上記開口部周り化粧部材は、前板部と該前板部の一端から後方に延びる内側板部と上記前板部の一端から前方に突出形成されたジョイナー側係合部とを備えるＬジョイナーと、外向面部と内向面部と上記外向面部及び上記内向面部の前端を連結する化粧部と内向面部の後端部に形成された額縁側係合部とを備える額縁部材とを、それぞれ４本有してなり、
上記開口部周りの施工に当たっては、開口部の上下左右の４辺に沿って外壁板の下地として配された下地材に、Ｌジョイナーを固定するＬジョイナー固定工程と、
上記Ｌジョイナーに上記額縁部材を係合させると共に、上記下地材に固定する額縁部材取付工程と、
上記額縁部材に端部を対向配置するように外壁板を取り付ける外壁板取付工程と、
上記外壁板の端部と上記額縁部材との間にシーリング材を打設するシーリング材打設工程とを行い、
上記Ｌジョイナー固定工程においては、上記前板部を上記下地材の前面に固定すると共に、上記内側板部を上記下地材の内側面に配置するように上記下地材を配設し、
上記額縁取付工程においては、上記額縁側係合部を上記ジョイナー側係合部に係合させると共に、上記固定板部を上記下地材に固定し、上記化粧部によって開口部周りを化粧するような状態で上記額縁部材を配設し、
上記外壁板取付工程においては、上記外壁板の端部を上記外向面部に対向配置することを特徴とする開口部周り施工方法にある（請求項１６）。
【００２１】
上記開口部周り施工方法において用いる上記開口部周り化粧部材は、主に、上記Ｌジョイナーと上記額縁部材とにより構成される。したがって、上記開口部周り化粧部材を構成する部品点数を少なくすることができるため、上記Ｌジョイナー固定工程及び上記額縁取付工程を簡略化することができ、上記開口部周り施工構造を容易かつ安価に構築することができる。
【００２２】
上記Ｌジョイナー固定工程においては、上記前板部を上記下地材の前面に固定すると共に、上記内側板部を上記下地材の内側面に配置するように上記下地材を配設する。これにより、上記外壁板の下地として配される上記下地材を覆い隠すことができるため、上記開口部周り施工方法によれば、外観意匠性に優れた開口部周り施工構造を得ることができる。
【００２３】
また、上記額縁取付工程においては、上記額縁側係合部を上記ジョイナー側係合部に係合させると共に、上記固定板部を上記下地材に固定する。これにより、上記額縁部材を上記下地材に安定した状態で固定することができる。即ち、上記額縁部材を幅方向の２箇所において上記下地材に固定することができる。それ故、上記額縁部材の上記固定板部と反対側の部分が前方に浮き上がることがないため、上記額縁部材と上記Ｌジョイナーとの間の開口部側に隙間が発生するという不具合を回避することができる。したがって、外観意匠性及び耐候性に優れた開口部周り施工構造を得ることができる。
【００２４】
また、上記外壁板取付工程においては、上記外壁板の端部を上記外向面部に対向配置する。これにより、上記外壁板の端部を上記額縁部材に嵌合する等の必要がないため、施工誤差等があった場合にも、開口部周り施工構造を容易、かつ確実に施工することができる。また、上記開口部周り施工構造に用いられる上記外壁板は一定の厚みに限定されることがない。
【００２５】
また、上記シーリング材打設工程においては、上記外壁板の端部と上記額縁部材との間にシーリング材を打設する。そのため、防水性に優れた開口部周り施工構造を得ることができる。また、施工現場において上記外壁板を切断しても、切断面である上記外壁板の端部を外部に露出することがないため、腐食等の不具合が生じるおそれがなく、耐候性に優れた開口部周り施工構造を得ることができる。
【００２６】
以上のごとく、本発明によれば、施工が容易で、外観意匠性及び耐候性に優れた開口部周り施工構造を構築することができる開口部周り施工方法を提供することができる。
【発明を実施するための最良の形態】
【００２７】
第１の発明（請求項１）、第２の発明（請求項８）、及び第３の発明（請求項１６）において、上記開口部周り化粧部材、上記開口部周り施工構造、及び、これを構築する上記開口部周り施工方法は、新築用及びリフォーム用のいずれにも適用することができる。
また、上記外壁板としては、例えば、窯業系材料からなるものを用いることができる。
また、上記下地材は、例えば、木製あるいは軽量鉄骨等からなる胴縁とすることができる。
【００２８】
本発明においては、建物の外側方向を前方、建物の内側方向を後方として説明する。
また、上記開口部周り化粧部材等の各部材については、上記開口部周りに施工した状態において、上、下、右、左となる向きを、それぞれ、上、下、右、左として表す。
【００２９】
上記額縁部材は、長手方向に連続する中空部を有し、上記化粧部、上記内向面部及び上記外向面部は上記中空部の一部を形成していることが好ましい（請求項２、請求項９）。
この場合には、装飾性に優れた上記額縁部材を得ることができると共に、軽量化を図ることができるため、安価で外観意匠性に優れた額縁部材を容易に得ることができる。
【００３０】
上記額縁部材は、上記中空部の両端部をそれぞれ塞ぐキャップ部材を取り付けてなることが好ましい（請求項３、請求項１０）。
この場合には、上記キャップ部材を取り付けることにより、上記中空部の端部を確実に塞ぐことができるため、雨水等の水が上記中空部に浸入することを防ぐことができる。また、上記額縁部材の端部を切断して形成した場合にも、上記額縁部材の切断面を覆い隠すことができる。そのため、外観意匠性及び耐候性に優れた開口部周り化粧部材及び開口部周り施工構造を得ることができる。
【００３１】
上記額縁部材のうち、上記開口部の上辺及び下辺にそれぞれ配される上辺額縁部材及び下辺額縁部材は、上記内向面部を前方へ向かうほど外側へ広がるように傾斜させてなり、上記上辺額縁部材の上記内向面部と上記下辺額縁部材の上記内向面部とは、互いに同じ傾斜角度を有しており、かつ、上記キャップ部材の外側面は、上記内向面部の傾斜に沿うように傾斜していることが好ましい（請求項４、請求項１１）。
【００３２】
この場合には、上記下辺額縁部材の内向面部に落下した雨水を前方へ排出することができ、雨水が溜まることを防ぐことができる。また、上記上辺額縁部材の上記内向面部と上記下辺額縁部材の上記内向面部とが互いに同じ傾斜角度を有する。そのため、上記開口部の左辺及び右辺にそれぞれ配される上記額縁部材の上端と下端とに配されるキャップ部材を上記上辺額縁部材及び上記下辺額縁部材の内向面部に当接させる場合、同じ形状のキャップ部材を上下反転させて使用することができる。それ故、上記開口部周り化粧部材の部品の種類を減らして、安価かつ施工容易な開口部周り施工構造を得ることができる。
【００３３】
上記額縁部材のうち、上記開口部の上辺及び下辺にそれぞれ配される上辺額縁部材及び下辺額縁部材は、上記化粧部の下端から下方へ突出した突出板部を有することが好ましい（請求項５、請求項１２）。
この場合には、上記突出板部が水切りとしての機能を発揮して、排水性を向上させることができる。
【００３４】
上記額縁部材は、アルミの押し出し成形品からなることが好ましい（請求項６、請求項１３）。
この場合には、成形性に富むアルミの押し出し成形品を用いるため、装飾性に優れた開口部周り化粧部材及び開口部周り施工構造を得ることができる。
【００３５】
上記Ｌジョイナーの上記前板部と上記額縁部材との間には、空隙部が形成されるよう構成されていることが好ましい（請求項７、請求項１５）。
この場合には、上記額縁部材が前方に浮き上がってしまうことを防ぐことができる。即ち、上記Ｌジョイナーを固定する際には、例えば、ビスや釘等により上記前板部を上記下地材の前面に固定することになる。このとき、ビスや釘等の頭部を上記空隙部に配置することができる。これにより、ビスや釘等の頭部が邪魔になって、該頭部の厚み分上記額縁部材が前方に浮き上がってしまうという不具合を防ぐことができる。
【００３６】
上記開口部周り施工構造は、リフォーム用であって、上記下地材は、既存壁の前面に固定されていることが好ましい（請求項１４）。
この場合には、施工が容易であり、外観意匠性に優れ、かつ安価なリフォーム用開口部周り施工構造を得ることができる。
【実施例】
【００３７】
本発明の実施例にかかる開口部周り化粧部材１０、開口部周り施工構造１及び開口部周り施工方法につき図１〜図１３を用いて説明する。
本例の開口部周り施工構造１は、図１、図１０、図１１に示すごとく、建物外壁面の開口部５の周りに開口部周り化粧部材１０を配設してなる。そして、開口部５の上下左右の４辺に沿って外壁板３の下地として配された胴縁等の下地材２と、該下地材２に取り付けられた開口部周り化粧部材１０と、該開口部周り化粧部材１０の外側に端部３０を対向配置させた外壁板３とを有する。
【００３８】
そして、開口部周り化粧部材１０は、下地材２に固定される上下左右のＬジョイナー１００と、該Ｌジョイナー１００に係合すると共に下地材２の前面２０に固定される上下左右の額縁部材１１とを有する。額縁部材１１としては、開口部５周りの上辺に配される上辺額縁部材１１ａ、下辺に配される下辺額縁部材１１ｂ、左辺に配される左辺額縁部材１１ｃ、右辺に配される右辺額縁部材１１ｄとがある。以下において、単に額縁部材１１というときは、上記４種類の額縁部材のいずれをも示すものとする。
【００３９】
Ｌジョイナー１００は、図９〜図１２に示すごとく、前板部１０１と、該前板部１０１の一端から後方に向かって延びる内側板部１０２と、前板部１０１の一端から前方に向かって突出形成されたジョイナー側係合部１０３とを有する。
また、Ｌジョイナー１００は、図２、図１０〜図１２に示すごとく、前板部１０１を下地材２の前面２０に固定すると共に、内側板部１０２を下地材２の内側面２１に配置するように配設されている。
【００４０】
額縁部材１１は、図１、図３〜図８に示すごとく、外壁板３の端部３０が対向配置される外向面部１１１と、開口部５に面して配される内向面部１１２と、外向面部１１１及び内向面部１１２の前端を連結すると共に開口部５周りを化粧する化粧部１１３と、内向面部１１２の後端部に形成された額縁側係合部１１５と、外向面部１１１の後端から額縁側係合部１１５と反対側に延設された固定板部１１４とを有する。
【００４１】
また、額縁部材１１は、図１０、図１１に示すごとく、額縁側係合部１１５をジョイナー側係合部１０３に係合させると共に、固定板部１１４を下地材２に固定し、外向面部１１１に外壁板３の端部３０を対向配置し、化粧部１１３によって開口部５周りを化粧するような状態で配設されている。
【００４２】
また、ジョイナー側係合部１０３は、図９〜図１１に示すごとく、内側板部１０２の前端から前方に突出すると共に、前板部１０１と同じ方向に鈎状に屈曲している。
一方、額縁側係合部１１５は、図３〜図５に示すごとく内向面部１１２の後端部において、後方に突出すると共に固定板部１１４と反対方向へ鈎状に屈曲形成されている。
また、図６、図７に示すごとく、上辺額縁部材１１ａ及び下辺額縁部材１１ｂは、化粧部１１３の下端から下方へ突出した突出板部１１７を有する。
【００４３】
また、開口部周り化粧部材１０は、図３〜図８、図１０、図１１に示すごとく、長手方向に連続する中空部１１６を有し、化粧部１１３及び外向面部１１１は中空部１１６の一部を形成している。即ち、開口部周り化粧部材１０は、外向面部１１１、内向面部１１２、化粧部１１３、固定板部１１４の他に、固定板部１１４と同一平面上に形成された背面板部１２２と、背面板部１２２よりも前方に形成されると共に背面板部１２２と内向面部１１２とを連結する後板部１２３とを有する。そして、化粧部１１３、外向面部１１１、内向面部１１２、背面板部１２２、及び後板部１２３によって囲まれた空間として中空部１１６が形成されている。
【００４４】
図３〜図５に示すごとく、後板部１２３は、内向面部１１２の後端から外向面部１１１に向かうと共に、背面板部１２２に向かって屈曲してなる。また、上記背面板部１２２は、外向面部１１１の後端と後板部１２３の後端とを連結している。
また、図１０、図１１に示すごとく、開口部周り化粧部材１０を施工した状態において、Ｌジョイナー１００の前板部１０１と額縁部材１１との間には、空隙部１４０が形成されるよう構成されている。即ち、額縁側係合部１１５と固定板部１１４との間の後板部１２３が固定板部１１４、額縁側係合部１１５の後端よりも前方に形成されていることにより、空隙部１４０が形成されている。
【００４５】
また、額縁部材１１は、図１、図６〜図８に示すごとく、中空部１１６の両端部をそれぞれ塞ぐキャップ部材１１８をキャップ用ビス１２０にて取り付けてなる。即ち、キャップ用ビス１２０をキャップ部材１１８に設けられた孔に挿通した状態で、上記キャップ用ビス１２０を額縁部材１１の中空部１１６に設けた螺合部１２１に螺合する。これにより、額縁部材１１の両端部にキャップ部材１１８を留め付ける。
また、上記螺合部１２１は、図６〜図８に示すごとく、外向面部１１１及び内向面部１１２の裏側面に、中空部１１６の内側に向かって開口した状態で、略円筒形状に長手方向に連続して形成されている。
【００４６】
また、図１、図１０に示すごとく、上下左右の額縁部材１１は、上辺額縁部材１１ａ及び下辺額縁部材１１ｂの内向面部１１２に左辺額縁部材１１ｃ及び右辺額縁部材１１ｄの両端に取り付けたキャップ部材１１８ｃ、１１８ｄを当接させた状態で配置されている。
【００４７】
また、図１０に示すごとく、額縁部材１１のうち、開口部の上辺及び下辺にそれぞれ配される上辺額縁部材１１ａ及び下辺額縁部材１１ｂは、内向面部１１２を前方へ向かうほど外側へ広がるように傾斜させてなる。そして、上辺額縁部材１１ａの内向面部１１２と下辺額縁部材１１ｂの内向面部１１２とは、互いに同じ傾斜角度を有しており、かつ、左辺額縁部材１１ｃ及び右辺額縁部材１１ｄのキャップ部材１１８ｃ及び１１８ｄの外側面１１９は、内向面部１１２の傾斜に沿うように傾斜している。即ち、左辺額縁部材１１ｃ及び右辺額縁部材１１ｄのキャップ部材１１８ｃ、１１８ｄの外側面１１９は、上辺額縁部材１１ａ及び下辺額縁部材１１ｂの内向面部１１２に面接触して配置されている。
【００４８】
また、額縁部材１１及びＬジョイナー１００は、アルミの押し出し成形品からなる。
また、外壁板３は、窯業系建築材料からなるものを用いている。
また、開口部周り施工構造１は、リフォーム用であって、図１０、図１１に示すごとく、下地材２は、既存壁３００の前面に固定されている。即ち、既存壁３００に形成された開口部５の周りにおける既存壁３００の前面に、下地材２として縦胴縁と横胴縁とが固定されている。
【００４９】
また、図１２に示すごとく、Ｌジョイナー１００の内側板部１０２の裏側面１０４には、下地材２の前後の厚みに応じて内側板部１０２の長さを調節することができるリブ切り込み１０５が設けられている。即ち、このリブ切り込み１０５は、図１３に示すごとく、下地材２の厚みが小さいときに内側板部１０２をリブ切り込み１０５で容易に切断して使用しやすくするために設けてある。
【００５０】
また、図１、図１０、図１１に示すごとく、外壁板３の端部３０と額縁部材１１の外向面部１１１との間には、シーリング材４が打設されている。即ち、外壁板３の端部３０と額縁部材１１の外向面部１１１と固定板部１１４とに当接させた状態でバックアップ材４０が配設され、バックアップ材４０の前方にシーリング材４が打設されている。
また、より一層の防水性能を確保するために、図１に示すごとく、Ｌジョイナー１００同士の突付け部に捨てシーリング材４００を打設することもできる。
【００５１】
また、上記開口部周り施工構造１を構築するに当たっては、下記のＬジョイナー固定工程と額縁部材取付工程と外壁板取付工程とシーリング材打設工程とを行うことにより、開口部周り施工構造１を構築することができる。
【００５２】
Ｌジョイナー固定工程においては、図２、図１２に示すごとく、Ｌジョイナー１００の前板部１０１を下地材２の前面２０にビス６にて固定すると共に、内側板部１０２を下地材２の内側面２１に配置する。
額縁取付工程においては、図１、図１０、図１１に示すごとく、額縁側係合部１１５をジョイナー側係合部１０３に係合させると共に、固定板部１１４を釘７にて下地材２に固定し、化粧部１１３によって開口部５周りを化粧するような状態で額縁部材１１を配設する。
【００５３】
外壁板取付工程においては、外壁板３の端部３０を外向面部１１１に対向配置すると共に、釘７にて下地材２に固定する。
シーリング材打設工程においては、外壁板３の端部３０と額縁部材１１との間にシーリング材４を打設する。
【００５４】
尚、図５、図１０は、基本的には、左辺額縁部材１１ｃを示すが、右辺額縁部材１１ｄもこれと同じ形状である。即ち、右辺額縁部材１１ｄは、図５、図１０の状態から配置を反転させて使用される。また、図１１において、符号３１０は既存の建物の構造躯体を構成する柱、符号３２０は既存の建物の開口部５に配されていたサッシ（窓枠）を示す。
【００５５】
次に、本例の作用効果につき説明する。
開口部回り化粧部材１０は、主にＬジョイナー１００と額縁部材１１とにより構成される。したがって、開口部周り化粧部材１０を構成する部品点数を少なくすることができるため、開口部周り施工構造１を容易、かつ安価に施工することができる。
【００５６】
また、Ｌジョイナー１００は、前板部１０１を下地材２の前面２０に固定すると共に、内側板部１０２を下地材２の内側面２１に配置するように配設されている。これにより、外壁板３の下地として配される下地材２を覆い隠すことができるため、外観意匠性に優れた開口部周り施工構造１を得ることができる。
【００５７】
また、額縁部材１１は、額縁側係合部１１５をジョイナー側係合部１０３に係合すると共に、固定板部１１４を下地材２に当接した状態で固定されるため、額縁部材１１は下地材２に対して安定固定された状態となる。即ち、額縁部材１１を下地材２に固定するに当たっては、Ｌジョイナー１００と係合した状態で固定板部１１４を釘固定することになるので、額縁部材１１とＬジョイナー１００との間の開口部側に隙間が発生するという不具合を回避することができる。したがって、外観意匠性及び耐候性に優れた開口部周り施工構造１を得ることができる。
【００５８】
また、額縁部材１１は、外向面部１１１を有し、外壁板３の端部３０は外向面部１１１に対向配置している。したがって、外壁板３の端部３０を額縁部材１１に嵌合する等の必要がないため、開口部周り施工構造１を容易かつ確実に施工することができる。また、開口部周り施工構造１に用いられる外壁板３は一定の厚みに限定されることがない。
【００５９】
また、シーリング材打設工程においては、外壁板３の端部３０と額縁部材１１との間にシーリング材４を打設する。そのため、防水性に優れた開口部周り施工構造１を得ることができる。また、施工現場において外壁板３を切断しても、切断面である外壁板３の端部３０を外部に露出することがないため、腐食等の不具合が生じるおそれがなく、耐候性に優れた開口部周り施工構造１を得ることができる。
【００６０】
額縁部材１１は、中空部１１６を有するため、装飾性に優れた額縁部材１１を得ることができると共に、軽量化を図ることができる。それ故、安価で外観意匠性に優れた額縁部材１１を容易に得ることができる。
【００６１】
額縁部材１１は、中空部１１６の両端部をそれぞれ塞ぐキャップ部材１１８、１２８、１３８を取り付けてなる。これにより、雨水等の水が中空部１１６に浸入することを防ぐことができると共に、額縁部材１１の端部を切断して形成した場合にも、額縁部材１１の切断面を覆い隠すことができる。これにより、外観意匠性及び耐候性に優れた開口部周り化粧部材１０及び開口部施工構造１を得ることができる。
【００６２】
また、下辺額縁部材１１ｂは、内向面部１１２を前方へ向かうほど外側へ広がるように、即ち、前方下方へ傾斜させてなる。これにより、下辺額縁部材１１ｂの内向面部１１２に落下した雨水を前方へ排出することができ、雨水が溜まることを防ぐことができる。また、上辺額縁部材１１ａの内向面部１１２と下辺額縁部材１１ｂの内向面部１１２とは、互いに同じ傾斜角度を有する。そのため、同じ形状のキャップ部材１１８ｃ、１１８ｄを上下反転させて使用することができる。それ故、開口部周り化粧部材１０の部品の種類を減らして、安価かつ施工容易な開口部周り施工構造１を得ることができる。
【００６３】
また、上辺額縁部材１１ａ及び下辺額縁部材１１ｂは、突出板部１１７を有するため、突出板部１１７が水切りの機能を発揮して、排水性を向上させることができる。
また、額縁部材１１は、成形性に富むアルミの押し出し成形品からなるため、装飾性に優れた開口部周り化粧部材１０及び開口部周り施工構造１を得ることができる。
【００６４】
また、Ｌジョイナー１００の前板部１０１と額縁部材１１との間には、空隙部１４０が形成される。これにより、ビス６の頭部を空隙部１４０に配置することができるため、ビス６の頭部が邪魔になってビス６の頭部の厚み分額縁部材１１が前方に浮き上がってしまうという不具合を防ぐことができる。
【００６５】
以上のごとく、本例によれば、施工が容易で、外観意匠性及び耐候性に優れた開口部周り化粧部材、開口部周り施工構造、及び開口部周り施工方法を提供することができる。
【００６６】
尚、例えば、上下左右の額縁部材１１は、左辺額縁部材１１ｃ及び右辺額縁部材１１ｄの内向面部１１２に上辺額縁部材１１ａ及び下辺額縁部材１１ｂの両端に取り付けたキャップ部材１１８ａ、１１８ｂを当接させた状態で開口部５周りに配置されていてもよい。
上記実施例の開口部周り施工構造１はリフォーム用であるが、もちろん、新築にも適用することができる。
【図面の簡単な説明】
【００６７】
【図１】実施例における、開口部周り施工構造の斜視説明図。
【図２】実施例における、下地材にＬジョイナーを固定した状態を示す斜視説明図。。
【図３】実施例における、上辺額縁部材の断面説明図。
【図４】実施例における、下辺額縁部材の斜視説明図。
【図５】実施例における、左辺及び右辺額縁部材の斜視説明図。
【図６】実施例における、上辺額縁部材の斜視説明図。
【図７】実施例における、下辺額縁部材の斜視説明図。
【図８】実施例における、左辺及び右辺額縁部材の斜視説明図。
【図９】実施例における、Ｌジョイナーの斜視説明図。
【図１０】実施例における、開口部周り施工構造の縦断面説明図。
【図１１】実施例における、開口部周り施工構造の横断面説明図。
【図１２】実施例における、Ｌジョイナーと下地材の位置関係を示す断面説明図。
【図１３】実施例における、下地材の厚みが小さい場合のＬジョイナーと下地材の位置関係を示す断面説明図。
【図１４】従来例における、開口部周り施工構造の斜視説明図。
【符号の説明】
【００６８】
１  開口部周り施工構造
１０  開口部周り化粧部材
１００  Ｌジョイナー
１０１  前板部
１０２  内側板部
１０３  ジョイナー側係合部
１１  額縁部材
１１１  外向面部
１１２  内向面部
１１３  化粧部
１１４  固定板部
１１５  額縁側係合部
２  下地材
２０  前面
３  外壁板
３０  端部
【図１】
2006307497.tif 000003
【図２】
2006307497.tif 000004
【図３】
2006307497.tif 000005
【図４】
2006307497.tif 000006
【図５】
2006307497.tif 000007
【図６】
2006307497.tif 000008
【図７】
2006307497.tif 000009
【図８】
2006307497.tif 000010
【図９】
2006307497.tif 000011
【図１０】
2006307497.tif 000012
【図１１】
2006307497.tif 000013
【図１２】
2006307497.tif 000014
【図１３】
2006307497.tif 000015
【図１４】
2006307497.tif 000016